(57)【要約】【課題】  外部から入力する音声信号のうち、特定の言葉に限定された音声信号から声紋データを抽出するようにして、声紋データの比較処理が軽い、声紋による話者特定機能を有する電話装置を提供する。【解決手段】  話者の声紋データと、話者のプロファイルに係る情報を対応付けて登録する話者データ登録部１３０と、話者毎の処理内容を登録する話者別処理内容登録部１５０と、前記プロファイルに係る質問を音声で相手へ質問する音声質問部１２０と、質問に対する回答音声から相手の声紋データを抽出する声紋データ抽出部１４０と、前記抽出した声紋データにより相手の話者を特定する話者特定手段とを有し、特定した話者に対応する処理内容を自動的に起動する。【選択図】    図１
2012078384.tif 000002
【特許請求の範囲】
【請求項１】
１以上の外線または内線を収容する電話装置において、
自電話装置を利用する話者の声紋データを登録する声紋データ登録手段と、話者のプロファイルに係る情報を前記声紋データ登録手段に登録された声紋データと対応付けて登録するプロファイル登録手段と、前記プロファイル登録手段に登録されている話者と対応付けて処理する内容を登録する処理内容登録手段と、前記プロファイル登録手段に登録されているプロファイルに係る質問文を登録する質問文登録手段と、前記質問文登録手段に登録されている質問文のいずれかを話者に音声で質問する音声質問手段と、前記音声質問手段が質問した質問に対して話者が回答する音声信号を受信して前記話者の声紋データを抽出する声紋データ抽出手段と、前記抽出した声紋データと前記声紋データ登録手段に登録されている声紋データを比較して当該声紋データの話者が前記プロファイル登録手段に登録されているいずれかの話者と同一であるか否かを判定して話者を特定する話者特定手段と、を有し、
前記話者特定手段が通話中の話者は前記プロファイル登録手段に登録されているいずれかの話者と同一であると判定した場合に、当該話者に対応付けて前記処理内容登録手段に登録されている処理内容を自動的に起動することを特徴とする声紋による話者特定機能を有する電話装置。
【請求項２】
請求項１に記載の電話装置において、
前記音声データ抽出手段が抽出する音声データは、自装置の内線に接続されたインターホン子機から入力する音声データであって、
前記処理内容登録手段に登録する処理内容は、自装置の内線に接続された電気錠の開閉に係る処理であることを特徴とする声紋による話者特定機能を有する電話装置。
【請求項３】
請求項２に記載の電話装置において、
前記インターホン子機は、話者を撮像するカメラを備え、
前記音声データ抽出手段が抽出する音声データによって前記電気錠を開閉した場合に当該話者と前記電気錠の開閉に係る情報を蓄積するまたは所定の宛先へ通報することを特徴とする声紋による話者特定機能を有する電話装置。
【発明の詳細な説明】
【技術分野】
【０００１】
本発明は、ホームテレホンもしくはボタン電話システムの主装置、または構内交換装置（ＰＢＸ）等に適用可能な、声紋による話者特定機能を有する電話装置に関する。
【背景技術】
【０００２】
ボタン電話装置等において、相手を声紋データにより識別して自動応答する留守応答装置に関する技術が知られている（特許文献１）。特許文献１に記載された技術は、声紋データを記憶可能な第１記憶手段と、声紋データに対応する応答メッセージを格納可能な第２記憶手段と、外部から入力された声紋データが第１記憶手段に記憶されている声紋データに一致するか否かを判定する声紋判定手段と、前記声紋判定手段の判定結果に基づいて第２記憶手段内の対応する応答メッセージを選択的に外部出力可能な留守番制御手段とを設け、外部から入力された声紋データが第１記憶手段内の声紋データに一致するか否かを判定し、それに基づいて第２記憶手段内の対応する応答メッセージを外部出力することで、自動応答を達成する。
【０００３】
しかしながら、特許文献１に記載された技術は、外部から入力する音声信号の言葉が特定されていないため、外部から入力する音声信号の全てから声紋データを抽出して、前述の第１記憶手段に記憶されている声紋データと比較して、一致する声紋データの有無を判定する必要があり膨大な処理が必要であった。
【先行技術文献】
【特許文献】
【０００４】
【特許文献１】特開平１０−２７１２０４号公報
【発明の概要】
【発明が解決しようとする課題】
【０００５】
そこで、本発明の課題は、外部から入力する音声信号のうち、特定の語句の発音に限定された音声信号から声紋データを抽出するようにして、声紋データの比較処理が軽い、声紋による話者特定機能を有する電話装置を提供することにある。
【課題を解決するための手段】
【０００６】
上記課題を解決するために、第１の発明は、１以上の外線または内線を収容する電話装置において、自電話装置を利用する話者の声紋データを登録する声紋データ登録手段と、話者のプロファイルに係る情報を前記声紋データ登録手段に登録された声紋データと対応付けて登録するプロファイル登録手段と、前記プロファイル登録手段に登録されている話者と対応付けて処理する内容を登録する処理内容登録手段と、前記プロファイル登録手段に登録されているプロファイルに係る質問文を登録する質問文登録手段と、前記質問文登録手段に登録されている質問文のいずれかを話者に音声で質問する音声質問手段と、前記音声質問手段が質問した質問に対して話者が回答する音声信号を受信して前記話者の声紋データを抽出する声紋データ抽出手段と、前記抽出した声紋データと前記声紋データ登録手段に登録されている声紋データを比較して当該声紋データの話者が前記プロファイル登録手段に登録されているいずれかの話者と同一であるか否かを判定して話者を特定する話者特定手段と、を有し、前記話者特定手段が通話中の話者は前記プロファイル登録手段に登録されているいずれかの話者と同一であると判定した場合に、当該話者に対応付けて前記処理内容登録手段に登録されている処理内容を自動的に起動することを特徴とする。
【０００７】
また、第２の発明は、前記第１の発明において、前記音声データ抽出手段が抽出する音声データは、自装置の内線に接続されたインターホン子機から入力する音声データであって、前記処理内容登録手段に登録する処理内容は、自装置の内線に接続された電気錠の開閉に係る処理であることを特徴とする。
【発明の効果】
【０００８】
本発明によれば、質問に対する回答の語句の発音に限定された音声信号から声紋データを抽出するので、声紋データの比較処理が軽く、声紋による話者特定処理に係るコストを抑えられる。従って、声紋による話者特定機能を有する電話装置の提供価格を抑えることができる。
【０００９】
しかも、限定された語句の発音について声紋データの比較処理を実行するので、一致か否かの精度が高く、さらに、話者に質問する内容は、プロファイル登録手段に登録されている項目に係るランダムな質問なので、認証精度が高く、録音機等を使った成りすましも防止できる。
【図面の簡単な説明】
【００１０】
【図１】本装置１のブロック構成図
【図２】登録内容の例
【図３】本装置１の動作フローチャート
【発明を実施するための形態】
【００１１】
以下、本発明の実施形態として、ホームテレホンに適用した場合について、図面を用いて説明する。
【００１２】
図１は、本発明による電話装置（以下、本装置１と略す）のブロック構成図である。本装置１は、ホームテレホンの親機であって、制御部１００、内線対応部１０１、外線対応部１０２、話者特定部１１０、音声質問部１２０、乱数発生器１２１、話者データ登録部１３０、声紋データ抽出部１４０、話者別処理内容登録部１５０、話者別処理履歴蓄積部１６０、話者特定処理起動条件登録部１７０から構成される。
【００１３】
制御部１００は、本装置１の全体を制御する手段であって、内線に接続されたカメラ付インターホン子機２、インターホン親機３、内線電話機４、電気錠５、ネットワーク６との間でデータを中継すると共に、内部の各ブロックのデータ処理を制御する。
【００１４】
内線対応部１０１は、カメラ付インターホン子機２、インターホン親機３、内線電話機４、電気錠５等が接続される内線とのインタフェースである。外線対応部１０２は、ネットワーク６に繋がる外線とのインタフェースである。
【００１５】
話者特定部１１０は、音声質問部１２０および声紋データ抽出部１４０を制御して、入力する音声の話者を特定する手段である。音声質問部１２０は、本装置１に着信して通話状態にある発信元の相手へ話者データ登録部１３０に登録されている内容に関する質問文を音声で質問する手段である。なお、質問文は複数用意されており、乱数発生器１２１が生成する乱数によりランダムに選択される。
【００１６】
話者データ登録部１３０は、本装置１を利用する者の声紋データ、プロファイルデータ（誕生日，趣味，血液型，合言葉等）、質問文を予め登録しておく手段である。この話者データ登録部１３０に登録される内容の例を図２に示す。詳細は後で説明する。
【００１７】
声紋データ抽出部１４０は、内線対応部１０１を介して入力される音声信号から声紋データを抽出する手段である。例えば、カメラ付インターホン子機２からの音声信号から声紋データを抽出する。
【００１８】
話者別処理内容登録部１５０は、話者（本装置１を利用する者）毎に本装置１が処理すべき内容を登録する手段である。本装置１が処理すべき内容としては、例えば、「電気錠５を開閉する」、「伝言メッセージを残す」、「伝言メッセージを再生する」等である。
【００１９】
話者別処理履歴蓄積部１６０は、話者特定部１１０が特定した話者とその話者に応じて話者別処理内容登録部１５０に登録されている処理が実行された履歴を蓄積しておく手段である。
【００２０】
話者特定処理起動条件登録部１７０は、話者特定処理を起動する条件を予め登録する手段である。登録する起動条件は、例えば、カメラ付インターホン子機２や特定の内線電話機４から電気錠５の開閉に係る要求コマンドを受信した場合、ネットワーク６経由で着信した呼のうち、本装置１の留守番電話機能の制御や伝言メッセージの再生等のリモート制御（図示せず）に係る要求コマンドを受信した場合等である。
【００２１】
図２は、話者データ登録部１３０に登録される内容の例であり、本装置１を利用する者の分類２０１毎に、氏名２０２の声紋データ２０３、プロファイルデータ２０４（誕生日，趣味，血液型，合言葉等）等が登録されている。またプロファイルデータ２０４に係る質問文も予め登録されている。
【００２２】
図３は本装置１の動作フローチャートである。以下、図１および図２を併用して、本装置１の動作フローを説明する。尚、本フローは本装置１に内線または外線からコマンドもしくは何らかの処理を要求する要求コマンドの着信があった場合にスタートする（Ｓ３００）。
【００２３】
着信した呼が一般電話着信であった場合（Ｓ３０１、ＹＥＳ）、着信処理／通話等の一般的な電話着信に係る処理を実行し（Ｓ３０２）、終了する（Ｓ３５０）。この電話関連に係る処理は一般的な電話装置と類似なので、その詳細は割愛する。なお、着信した呼が一般電話着信か否かの判定は、例えば、着信信号に一般電話着信ではないことを示す情報（例えば、カメラ付インターホン子機２や内線電話機４からの特定操作コマンド）の有無を検出して判定すればよい。
【００２４】
着信した呼が一般電話着信でない場合（Ｓ３０１、ＮＯ）、着信した呼に自動応答して要求コマンドを受信する（Ｓ３０３）。そして、制御部１００は話者特定処理起動条件登録部１７０を参照して、受信した要求コマンドが話者特定を伴うイベントか否かを判定する（Ｓ３１０）。Ｓ３１０でＮＯであれば、Ｓ３３０へ進む。
【００２５】
受信した要求コマンドが話者特定を伴うイベントであった場合（Ｓ３１０，ＹＥＳ）、制御部１００は話者特定部１１０を起動し、話者特定部１１０は音声質問部１２０を起動する。音声質問部１２０は、話者データ登録部１３０に登録されている複数の質問文（例えば、図２の質問１〜３）のうち、乱数発生器１２１が発生した乱数に応じてランダムに選択した質問文（例えば、図２の質問３）を、音声に変換して当該着信の発信元へ送出する（Ｓ３１１）。
【００２６】
質問文送出後、音声質問部１２０は声紋データ抽出部１４０を起動し、声紋データ抽出部１４０は発信元から受話した当該質問に対する回答音声を分析して、発信元の声紋データを抽出する（Ｓ３１２）。そして、話者特定部１１０は抽出した発信元の声紋データと話者データ登録部１３０に登録されている当該質問に対する声紋データ（例えば、図２の質問３に対応するデータ□３、□はＡ〜Ｅ）と照合して一致する声紋データが有るか否かを判定する（Ｓ３２０）。
【００２７】
一致する声紋データが有った場合（Ｓ３２０，ＹＥＳ）、話者特定部１１０は、対応する話者の氏名を制御部１００に通知してＳ３２２へ進む。一致する声紋データが無い場合または回答音声が無い場合（Ｓ３２０，ＮＯ）、要求に対して不許可の旨をコマンドまたは音声で発信元へ通知して（Ｓ３２１）、終了する（Ｓ３５０）。
【００２８】
Ｓ３２２において制御部１００はＳ３０３で受信した要求コマンドを再度解析して、話者データの変更に係る要求か否かを判定し、話者データの変更に係る要求であった場合（Ｓ３２２，ＹＥＳ）、話者データ登録部１３０または話者別処理履歴蓄積部１６０に登録されている該当する話者の関連データを追加または修正または削除に係る処理を実行して（Ｓ３２３）、終了する（Ｓ３５０）。
【００２９】
話者データの変更に係る要求でない場合（Ｓ３２２，ＮＯ）、話者別処理内容登録部１５０を参照して、特定した話者の氏名に対応して登録されている処理内容（例えば、玄関の電気錠５を開く）を実行すると共に、話者別処理履歴蓄積部１６０にその履歴を残して（Ｓ３２４）、終了する（Ｓ３５０）。
【００３０】
Ｓ３３０で、新規話者データの登録であった場合（Ｓ３３０、ＹＥＳ）、質問項目毎に質問文を提示してそれに対する回答音声を受信し（Ｓ３３１）、回答音声から抽出した声紋データを話者データ登録部１３０に登録する（Ｓ３３２）。そして、声紋データと対応付けて当該話者が入力するプロファイルデータを話者データ登録部１３０に、当該話者が指定する処理内容を話者別処理内容登録部１５０に登録して（Ｓ３３３）、終了する（Ｓ３５０）。
【００３１】
Ｓ３３０でＮＯの場合は、その他の処理を実行して（Ｓ３４０）、終了する（Ｓ３５０）。なお、その他の処理は、本発明に係らないので説明を割愛するが、例えば、話者の特定および認証を伴わない、カメラ付インターホン子機２とインターホン親機３または内線電話機４との接続処理等である。
【００３２】
ところで、制御部１００は話者特定処理起動条件登録部１７０を参照して、受信した要求コマンドが話者特定を伴うイベントか否かを判定する（Ｓ３１０）と説明したが、これは、本フローが着信時のフローであるためであり、着信以外のイベントで話者特定を伴う処理を実行してもよい。例えば、内線電話機４で外線通話をしている最中に、通話中の相手を確認するために、手動で話者特定部１１０を起動して（例えば、＃＃０とキー操作）、Ｓ３１１〜Ｓ３２０に相当する処理を実行してもよい。この際、Ｓ３１１に相当する処理を内線電話機４で通話している者が自身の声で相手へ質問し、声紋データ抽出部１４０に声紋データを抽出させ、話者特定部１１０が特定した氏名およびプロファイル等を内線電話機４が備える表示部に表示させることも可能である（図示せず）。
【００３３】
以上、本発明の一実施の形態について説明した。本実施形態において、本装置１は外線および複数の内線を収容するホームテレホンの親機として、インターホン親機３や内線電話機４が分離している場合を例に説明したが、本発明はこれに限定されない。例えば、本装置はインターホン親機や内線電話機４の機能が一体化した電話装置であってもよい。
【００３４】
また、本装置はボタン電話システムの主装置、または構内交換装置（ＰＢＸ）等であってもよい。
【符号の説明】
【００３５】
１・・・本装置１
２・・・カメラ付インターホン子機
３・・・インターホン親機
４・・・内線電話機
５・・・電気錠
６・・・ネットワーク
１００・・・制御部
１０１・・・内線対応部
１０２・・・外線対応部
１１０・・・話者特定部
１２０・・・音声質問部
１２１・・・乱数発生器
１３０・・・話者データ登録部
１４０・・・声紋データ抽出部
１５０・・・話者別処理内容登録部
１６０・・・話者別処理履歴蓄積部
１７０・・・話者特定処理起動条件登録部
【図１】
2012078384.tif 000003
【図２】
2012078384.tif 000004
【図３】
2012078384.tif 000005